【手続補正書】
【提出日】平成21年4月22日(2009.4.22)
【手続補正１】
【補正対象書類名】特許請求の範囲
【補正対象項目名】請求項１
【補正方法】変更
【補正の内容】
【請求項１】
画像データに含まれる線に対応するデータを抽出する線抽出処理装置であって、
前記画像データを入力するための画像入力手段と、
前記画像データを第１の方向に微分して、第１方向微分値データを作成するための第１方向微分処理手段と、
前記第１方向微分値データの一部を第１方向特徴微分値とする第１方向特徴微分値データを生成するための第１方向特徴微分値データ生成処理手段と、
前記第１方向特徴微分値をとる特徴画素のうち、所定の条件を満たす前記特徴画素を、前記第１の方向に対して垂直な方向である第２の方向における、前記線のデータを表わす画素として抽出するための第１方向線抽出処理手段とを備える、線抽出処理装置。
【手続補正２】
【補正対象書類名】特許請求の範囲
【補正対象項目名】請求項７
【補正方法】変更
【補正の内容】
【請求項７】
画像データに含まれる線に対応するデータを抽出する線抽出処理装置であって、
前記画像データを入力するための画像入力手段と、
前記画像データを第１の方向に微分して、第１方向微分値データを作成するための第１方向微分処理手段と、
前記第１方向微分値データの一部を第１方向特徴微分値とする第１方向特徴微分値データを生成するための第１方向特徴微分値データ生成処理手段と、
前記第１方向特徴微分値をとる特徴画素のうち、所定の条件を満たす前記特徴画素を、前記第１の方向に対して垂直な方向である第２の方向における、前記線のデータを表わす画素として抽出するための第１方向線抽出処理手段と、
前記画像データを前記第２の方向に微分して、第２方向微分値データを作成するための第２方向微分処理手段と、
前記第２方向微分値データの一部を第２方向特徴微分値とする第２方向特徴微分値データを生成するための第２方向特徴微分値データ生成処理手段と、
前記第２方向特徴微分値をとる特徴画素のうち、所定の条件を満たす前記特徴画素を、前記第１の方向における、前記線のデータを表わす画素として抽出するための第２方向線抽出処理手段と、
前記第１方向線抽出処理手段および前記第２方向線抽出処理手段によって抽出された画素を合成することにより線データを作成するための各方向線データ合成手段とを備える、線抽出処理装置。
【手続補正３】
【補正対象書類名】特許請求の範囲
【補正対象項目名】請求項１５
【補正方法】変更
【補正の内容】
【請求項１５】
演算部を有するコンピュータに、画像データに含まれる線に対応するデータを抽出する処理を実行させるプログラムであって、
前記演算部が、前記画像データを入力するステップと、
前記演算部が、前記画像データを第１の方向に微分して、第１方向微分値データを作成するステップと、
前記演算部が、前記第１方向微分値データの一部を第１方向特徴微分値とする第１方向特徴微分値データを生成するステップと、
前記演算部が、前記第１方向特徴微分値をとる特徴画素のうち、所定の条件を満たす前記特徴画素を、前記第１の方向に対して垂直な方向である第２の方向における、前記線のデータを表わす画素として抽出するステップとを備える、線抽出処理プログラム。
【手続補正４】
【補正対象書類名】特許請求の範囲
【補正対象項目名】請求項１６
【補正方法】変更
【補正の内容】
【請求項１６】
演算部を有するコンピュータに、画像データに含まれる線に対応するデータを抽出する処理を実行させるプログラムであって、
前記演算部が、前記画像データを入力するステップと、
前記演算部が、前記画像データを第１の方向に微分して、第１方向微分値データを作成するステップと、
前記演算部が、前記第１方向微分値データの一部を第１方向特徴微分値とする第１方向
特徴微分値データを生成するステップと、
前記演算部が、前記第１方向特徴微分値をとる特徴画素のうち、所定の条件を満たす前記特徴画素を、前記第１の方向に対して垂直な方向である第２の方向における、前記線のデータを表わす画素として抽出するステップと、
前記演算部が、前記画像データを前記第２の方向に微分して、第２方向微分値データを作成するステップと、
前記演算部が、前記第２方向微分値データの一部を第２方向特徴微分値とする第２方向特徴微分値データを生成するステップと、
前記演算部が、前記第２方向特徴微分値をとる特徴画素のうち、所定の条件を満たす前記特徴画素を、前記第１の方向における、前記線のデータを表わす画素として抽出するステップと、
前記演算部が、前記線のデータを表わす画素として抽出された、前記第１の方向および前記第２の方向における画素を合成することにより線データを作成するステップとを備える、線抽出処理プログラム。
【手続補正５】
【補正対象書類名】特許請求の範囲
【補正対象項目名】請求項１９
【補正方法】変更
【補正の内容】
【請求項１９】
画像データに含まれる線に対応するデータを抽出する方法であって、
前記画像データを入力するステップと、
前記画像データを第１の方向に微分して、第１方向微分値データを作成するステップと、
前記第１方向微分値データの一部を第１方向特徴微分値とする第１方向特徴微分値データを生成するステップと、
前記第１方向特徴微分値をとる特徴画素のうち、所定の条件を満たす前記特徴画素を、前記第１の方向に対して垂直な方向である第２の方向における、前記線のデータを表わす画素として抽出するステップとを備える、線抽出処理方法。
【手続補正６】
【補正対象書類名】特許請求の範囲
【補正対象項目名】請求項２０
【補正方法】変更
【補正の内容】
【請求項２０】
画像データに含まれる線に対応するデータを抽出する方法であって、
前記画像データを入力するステップと、
前記画像データを第１の方向に微分して、第１方向微分値データを作成するステップと、
前記第１方向微分値データの一部を第１方向特徴微分値とする第１方向特徴微分値データを生成するステップと、
前記第１方向特徴微分値をとる特徴画素のうち、所定の条件を満たす前記特徴画素を、前記第１の方向に対して垂直な方向である第２の方向における、前記線のデータを表わす画素として抽出するステップと、
前記画像データを前記第２の方向に微分して、第２方向微分値データを作成するステップと、
前記第２方向微分値データの一部を第２方向特徴微分値とする第２方向特徴微分値データを生成するステップと、
前記第２方向特徴微分値をとる特徴画素のうち、所定の条件を満たす前記特徴画素を、前記第１の方向における、前記線のデータを表わす画素として抽出するステップと、
前記線のデータを表わす画素として抽出された、前記第１の方向および前記第２の方向における画素を合成することにより線データを作成するステップとを備える、線抽出処理方法。
【手続補正７】
【補正対象書類名】明細書
【補正対象項目名】００１４
【補正方法】変更
【補正の内容】
【００１４】
本発明の１つの局面に従うと、画像データに含まれる線に対応するデータを抽出する線抽出処理装置であって、画像データを入力するための画像入力手段と、画像データを第１の方向に微分して、第１方向微分値データを作成するための第１方向微分処理手段と、第１方向微分値データの一部を第１方向特徴微分値とする第１方向特徴微分値データを生成するための第１方向特徴微分値データ生成処理手段と、第１方向特徴微分値をとる特徴画素のうち、所定の条件を満たす特徴画素を、第１の方向に対して垂直な方向である第２の方向における、線のデータを表わす画素として抽出するための第１方向線抽出処理手段とを備える。
【手続補正８】
【補正対象書類名】明細書
【補正対象項目名】００２０
【補正方法】変更
【補正の内容】
【００２０】
本発明の他の局面に従うと、画像データに含まれる線に対応するデータを抽出する線抽出処理装置であって、画像データを入力するための画像入力手段と、画像データを第１の方向に微分して、第１方向微分値データを作成するための第１方向微分処理手段と、第１方向微分値データの一部を第１方向特徴微分値とする第１方向特徴微分値データを生成するための第１方向特徴微分値データ生成処理手段と、第１方向特徴微分値をとる特徴画素のうち、所定の条件を満たす特徴画素を、第１の方向に対して垂直な方向である第２の方向における、線のデータを表わす画素として抽出するための第１方向線抽出処理手段と、画像データを第２の方向に微分して、第２方向微分値データを作成するための第２方向微分処理手段と、第２方向微分値データの一部を第２方向特徴微分値とする第２方向特徴微分値データを生成するための第２方向特徴微分値データ生成処理手段と、第２方向特徴微分値をとる特徴画素のうち、所定の条件を満たす特徴画素を、第１の方向における、線のデータを表わす画素として抽出するための第２方向線抽出処理手段と、第１方向線抽出処理手段および第２方向線抽出処理手段によって抽出された画素を合成することにより線データを作成するための各方向線データ合成手段とを備える。
【手続補正９】
【補正対象書類名】明細書
【補正対象項目名】００２８
【補正方法】変更
【補正の内容】
【００２８】
本発明のさらに他の局面に従うと、演算部を有するコンピュータに、画像データに含まれる線に対応するデータを抽出する処理を実行させるプログラムであって、演算部が、画像データを入力するステップと、演算部が、画像データを第１の方向に微分して、第１方向微分値データを作成するステップと、演算部が、第１方向微分値データの一部を第１方向特徴微分値とする第１方向特徴微分値データを生成するステップと、演算部が、第１方向特徴微分値をとる特徴画素のうち、所定の条件を満たす特徴画素を、第１の方向に対して垂直な方向である第２の方向における、線のデータを表わす画素として抽出するステップとを備える。
【手続補正１０】
【補正対象書類名】明細書
【補正対象項目名】００３０
【補正方法】変更
【補正の内容】
【００３０】
本発明のさらに他の局面に従うと、演算部を有するコンピュータに、画像データに含まれる線に対応するデータを抽出する処理を実行させるプログラムであって、演算部が、画像データを入力するステップと、演算部が、画像データを第１の方向に微分して、第１方向微分値データを作成するステップと、演算部が、第１方向微分値データの一部を第１方向特徴微分値とする第１方向特徴微分値データを生成するステップと、演算部が、第１方向特徴微分値をとる特徴画素のうち、所定の条件を満たす特徴画素を、第１の方向に対して垂直な方向である第２の方向における、線のデータを表わす画素として抽出するステップと、演算部が、画像データを第２の方向に微分して、第２方向微分値データを作成するステップと、演算部が、第２方向微分値データの一部を第２方向特徴微分値とする第２方向特徴微分値データを生成するステップと、演算部が、第２方向特徴微分値をとる特徴画素のうち、所定の条件を満たす特徴画素を、第１の方向における、線のデータを表わす画素として抽出するステップと、演算部が、線のデータを表わす画素として抽出された、第１の方向および第２の方向における画素を合成することにより線データを作成するステップとを備える。
【手続補正１１】
【補正対象書類名】明細書
【補正対象項目名】００３２
【補正方法】変更
【補正の内容】
【００３２】
本発明のさらに他の局面に従うと、画像データに含まれる線に対応するデータを抽出する方法であって、画像データを入力するステップと、画像データを第１の方向に微分して、第１方向微分値データを作成するステップと、第１方向微分値データの一部を第１方向特徴微分値とする第１方向特徴微分値データを生成するステップと、第１方向特徴微分値をとる特徴画素のうち、所定の条件を満たす特徴画素を、第１の方向に対して垂直な方向である第２の方向における、線のデータを表わす画素として抽出するステップとを備える。
【手続補正１２】
【補正対象書類名】明細書
【補正対象項目名】００３３
【補正方法】変更
【補正の内容】
【００３３】
本発明のさらに他の局面に従うと、画像データに含まれる線に対応するデータを抽出する方法であって、画像データを入力するステップと、画像データを第１の方向に微分して、第１方向微分値データを作成するステップと、第１方向微分値データの一部を第１方向特徴微分値とする第１方向特徴微分値データを生成するステップと、第１方向特徴微分値をとる特徴画素のうち、所定の条件を満たす特徴画素を、第１の方向に対して垂直な方向である第２の方向における、線のデータを表わす画素として抽出するステップと、画像データを第２の方向に微分して、第２方向微分値データを作成するステップと、第２方向微分値データの一部を第２方向特徴微分値とする第２方向特徴微分値データを生成するステップと、第２方向特徴微分値をとる特徴画素のうち、所定の条件を満たす特徴画素を、第１の方向における、線のデータを表わす画素として抽出するステップと、線のデータを表わす画素として抽出された、第１の方向および第２の方向における画素を合成することにより線データを作成するステップとを備える。